(57)【要約】      （修正有）【課題】必要な長さのペーパーを繰り出すことが可能な状態で、ロール状ペーパーを保持することが可能なペーパーホルダーを提供する。【解決手段】ワイヤー線材で構成される本体部１２と掛け竿部１４とを含む。本体部１２は門型に折り曲げられ、掛け竿部１４は本体部１２の門型の開放端部１２ａ，１２ｂ間に配置される。本体部１２の門型の一端部１２ｃと掛け竿部の一端部１４ａとが、何れも環状に折り曲げられて、着脱不能かつ揺動自在に連結され、本体部１２の門型の他端部１２ｄと掛け竿部の他端部１４ｂの、一方がフック状に他方が環状に折り曲げられて、互いに着脱自在に構成されている。【選択図】図１
0003157132.tif 000002
【実用新案登録請求の範囲】
【請求項１】
ワイヤー線材で構成される本体部と掛け竿部とを含み、
前記本体部は門型に折り曲げられ、
該掛け竿部は前記本体部の門型の開放端部間に配置され、
前記本体部の門型の一端部と前記掛け竿部の一端部とが、何れも環状に折り曲げられて、着脱不能かつ揺動自在に連結され、
前記本体部の門型の他端部と前記掛け竿部の他端部の、一方がフック状に他方が環状に折り曲げられて、互いに着脱自在に構成されていることを特徴とするペーパーホルダー。
【請求項２】
前記本体部は弾性変形可能であり、かつ、前記掛け竿部の長さよりも門型の一端部と他端部との間隔が広く形成されていることを特徴とする請求項１記載のペーパーホルダー。
【請求項３】
前記本体部の門型の中央部が環状ないし凸状に折り曲げられていることを特徴とする請求項１又は２記載のペーパーホルダー。
【請求項４】
前記本体部の環状ないし凸状に折り曲げられた部分に対し着脱自在な、釣り下げフックを備えることを特徴とする請求項３記載のペーパーホルダー。
【請求項５】
前記釣り下げフックはワイヤー線材で構成され、その一端部が螺旋状に折り曲げられていることを特徴とする請求項４記載のペーパーホルダー。
【請求項６】
前記釣り下げフックの中間部が環状ないし凸状に折り曲げられていることを特徴とする請求項４又は５記載のペーパーホルダー。
【考案の詳細な説明】
【技術分野】
【０００１】
本考案は、ロール状ペーパーを保持するためのペーパーホルダーに関するものである。
【背景技術】
【０００２】
キッチンペーパーやトイレットペーパー等のロール状ペーパーから、必要な長さのペーパーを繰り出すことが可能な状態で、ロール状ペーパーを保持するためのペーパーホルダーが、種々考案されている（例えば、特許文献１参照）。
【先行技術文献】
【特許文献】
【０００３】
【特許文献１】実用新案登録第２６０６７４８号公報
【考案の概要】
【考案が解決しようとする課題】
【０００４】
ところで、従来のペーパーホルダーは、合成樹脂や木製から構成された筒環状のケースに、ロール状ペーパーの中空の中心軸を挿通する心棒を固定した構造を採用したものが多く見られる。このようなペーパーホルダーは、その構成部品の製造に金型や射出成形機、ＮＣ工作機械等を使用し、複数工程に渡る組立作業が必要となるなど、比較的規模の大きな生産設備が必要なものであった。
【０００５】
本考案は上記課題に鑑みてなされたものであり、その目的とするところは、必要な長さのペーパーを繰り出すことが可能な状態で、ロール状ペーパーを保持することが可能なペーパーホルダーを提供することにある。又、製造容易な比較的単純構造でありながら、ロール状ペーパーの着脱性も良好なペーパーホルダーを提供することにある。
【課題を解決するための手段】
【０００６】
（考案の態様）
以下の考案の態様は、本考案の構成を例示するものであり、本考案の多様な構成の理解を容易にするために、項別けして説明するものである。各項は、本考案の技術的範囲を限定するものではなく、考案を実施するための最良の形態を参酌しつつ、各項の構成要素の一部を置換し、削除し、又は、更に他の構成要素を付加したものについても、本願考案の技術的範囲に含まれ得るものである。
【０００７】
（１）ワイヤー線材で構成される本体部と掛け竿部とを含み、前記本体部は門型に折り曲げられ、該掛け竿部は前記本体部の門型の開放端部間に配置され、前記本体部の門型の一端部と前記掛け竿部の一端部とが、何れも環状に折り曲げられて、着脱不能かつ揺動自在に連結され、前記本体部の門型の他端部と前記掛け竿部の他端部の、一方がフック状に他方が環状に折り曲げられて、互いに着脱自在に構成されているペーパーホルダー（請求項１）。
【０００８】
本項に記載のペーパーホルダーは、門型の本体部の開放端部間に配置された掛け竿部の一端部が、本体部の一端部に対し着脱不能かつ揺動自在に連結されていることから、本体部の門型の他端部と掛け竿部の他端部との係合を解除した状態では、掛け竿部は本体部から脱落することなく本体部に釣り下げられる。この状態で、掛け竿部に対するロール状ペーパーの中空の中心軸の着脱を、掛け竿部の他端部側から行うものである。又、本体部の門型の他端部と掛け竿部の他端部とを連結することで、本体部と掛け竿部とが閉塞環状に連続し、ロール状ペーパーの中空の中心軸に掛け竿部が挿通された状態で、ロール状ペーパーはペーパーホルダーに回転自在に保持される。
しかも、本体部と掛け竿部とが、いずれもワイヤー線材を折り曲げることによって構成されたものであり、適宜必要な形状への成形も容易である。又、必要に応じ、各々の湾曲形状も容易に変更可能なものである。
【０００９】
（２）上記（１）項において、前記本体部は弾性変形可能であり、かつ、前記掛け竿部の長さよりも門型の一端部と他端部との間隔が広く形成されているペーパーホルダー（請求項２）。
本項に記載のペーパーホルダーは、本体部の門型の他端部と掛け竿部の他端部との係合状態が、フック状と環状の端部同士の係合のみならず、弾性によって本体部の一端部と他端部とが広がり、フック状と環状の端部にテンションを与えることによって、適切に維持されるものである。しかも、本体部の門型の他端部と掛け竿部の他端部との着脱時には、本体部の一端部と他端部との間隔が狭くなるよう本体部が弾性変形することで、この着脱作業を阻害することなく円滑に行うことができる。
【００１０】
（３）上記（１）、（２）項において、前記本体部の門型の中央部が環状ないし凸状に折り曲げられているペーパーホルダー（請求項２）。
本項に記載のペーパーホルダーは、本体部の門型の中央部の環状ないし凸状に折り曲げられている部分を、例えば壁等に固定されたフックに対する釣り下げ部として、そのまま利用することが可能なものである。
【００１１】
（４）上記（３）項において、前記本体部の環状ないし凸状に折り曲げられた部分に対し着脱自在な、釣り下げフックを備えるペーパーホルダー（請求項４）。
本項に記載のペーパーホルダーは、必要に応じて本体部に対し釣り下げフックを装着し、又は取り外して使用するものである。
【００１２】
（５）上記（４）項において、前記釣り下げフックはワイヤー線材で構成され、その一端部が螺旋状に折り曲げられているペーパーホルダー（請求項５）。
本項に記載のペーパーホルダーは、釣り下げフックの螺旋状に折り曲げられた一端部の、当該螺旋の間に、本体部の門型の中央部の環状に折り曲げられた部分を挿通することによって、本体部に対し釣り下げフックを着脱するものである。又、釣り下げフックも、本体部及び掛け竿部と同様にワイヤー線材を折り曲げることによって構成されたものであり、適宜必要な形状への成形も容易である。又、必要に応じ、各々の湾曲形状も容易に変更可能なものである。
【００１３】
（６）上記（４）、（５）項において、前記釣り下げフックの中間部が螺旋状ないし凸状に折り曲げられているペーパーホルダー（請求項６）。
本項に記載のペーパーホルダーは、釣り下げフックの中間部の、環状ないし凸状に折り曲げられている部分を、例えば、壁等に打ち付けられた釘等の突起物に対する釣り下げ部として利用することが可能なものである。
【考案の効果】
【００１４】
本考案に係るペーパーホルダーは、このように構成したので、必要な長さのペーパーを繰り出すことが可能な状態で、ロール状ペーパーを保持することが可能となる。又、製造容易な比較的単純構造でありながら、ロール状ペーパーの着脱性も良好となる。
【図面の簡単な説明】
【００１５】
【図１】本考案の実施の形態に係るキッチンペーパー用のペーパーホルダーを示す斜視図であり、（ａ）は単体図、（ｂ）はキッチンペーパーを装着した状態を示す図である。
【図２】本考案の実施の形態に係るキッチンペーパー用のペーパーホルダーの正面図であり、（ａ）は釣り下げフックを装着し、かつ、掛け竿部を係合させた状態を示すものであり、（ｂ）は釣り下げフックを取り外し、かつ、掛け竿部の係合を解除した状態を示すものである。
【図３】本考案の実施の形態に係るトイレットペーパー用のペーパーホルダーを示す斜視図であり、（ａ）は単体図、（ｂ）はトイレットペーパーを装着した状態を示す図である。
【図４】本考案の実施の形態に係るトイレットペーパー用のペーパーホルダーの正面図であり、（ａ）は釣り下げフックを装着し、かつ、掛け竿部を係合させた状態を示すものであり、（ｂ）は釣り下げフックを取り外し、かつ、掛け竿部の係合を解除した状態を示すものである。
【考案を実施するための形態】
【００１６】
以下、本考案を実施するための最良の形態を、添付図面に基づいて説明する。
まず、本考案の実施の形態に係るペーパーホルダーとして、図１、図２には、キッチンペーパー用のペーパーホルダー１０が示されている。
【００１７】
このペーパーホルダー１０は、ワイヤー線材で構成された本体部１２と、掛け竿部１４と、吊り下げフック１６とからなる。そして、本体部１２は門型に折り曲げて構成されている。又、掛け竿部１４は直線状をなし、本体部１２の門型の開放端部１２ａ、１２ｂ間に配置されている。ここで、本体部１２の門型の一端部１２ｃと掛け竿部１４の一端部１４ａとが、何れも環状に折り曲げられて、着脱不能かつ揺動自在に連結されている。一方、本体部１２の門型の他端部１２ｄが環状に折り曲げられ、掛け竿部１４の他端部１４ｂがフック状に折り曲げられていることから、本体部１２の他端部１２ｄと、掛け竿部１４の他端部１４ｂとは、互いに着脱自在に連結される。なお、図示の例では、本体部１２の開放端部１２ａ、１２ｂは何れもＵ字状に折り返され、各々の最先端部に環状の一端部１２ｃと他端部１２ｄとが形成されている。
【００１８】
掛け竿部１４の一端部１４ａと他端部１４ｂとを繋ぐ部分１４ｃは、キッチンペーパー５０の着脱性や、円滑な回転を確保する観点から、キッチンペーパー５０の幅（概ね２５０ｍｍ前後）よりも若干長めに形成されている。一方、門型に形成された本体部１２は弾性変形可能であり、開放端部１２ａ、１２ｂ同士の間隔を容易に変えることができるものであり、かつ無負荷時には、掛け竿部１４の長さ（全長）よりも、門型の開放端部１２ａ、１２ｂに位置する一端部１２ａ及び他端部１２ｂの間隔が広くなるように形成されている。
【００１９】
又、釣り下げフック１６もワイヤー線材を湾曲させて構成されたものであり、本体部１２に対し着脱自在となっている。具体的には、釣り下げフック１６の一端部１６ａが螺旋状に折り曲げられており、当該螺旋の間に、本体部１２の環状に折り曲げられた門型の中央部１２ｅを挿通することによって、本体部１２に対し釣り下げフック１６を着脱することが可能となっている。なお、図示の例では、釣り下げフック１６の中間部１６ｂも、螺旋状に折り曲げられている。
【００２０】
なお、本体部１２の形状は、掛け竿部１４に挿通されたキッチンペーパー５０が自由に回転するものであれば、湾曲形状を自由に変更することができる。又、掛け竿部１４はキッチンペーパー５０を挿通して回転可能に保持するものであれば、図示の如く両端部１４ａ、１４ｂを繋ぐ部分１４ｃが直線状である必要はなく、例えば、デザイン上の観点から正弦波状又は鋸刃状に波打っていても良い。又、図示の例では、本体部１２の門型の他端部１２ｄが環状に折り曲げられ、掛け竿部１４の他端部１４ｂがフック状に折り曲げられているが、これとは逆に、本体部１２の門型の他端部１２ｄがフック状に折り曲げられ、掛け竿部１４の他端部１４ｂが環状に折り曲げられていてもよい。各環状部分１２ｃ、１２ｄ、１４ａは、図示の円形である必要はなく、楕円形や多角形であっても良い。更には、本体部１２や掛け竿部１４のフック状に折り曲げられた部分や、釣り下げフック１６についても、フックとして機能するものであれば、図示の形状に限定されるものではない。
又、本体部１２と掛け竿部１４の寸法を変えることで、他のロール状ペーパーのホルダとして最適なものとなる。一例として、図３、図４に示されるペーパーホルダー２０は、全幅を狭めることで、トイレットペーパー５２の保持に適したペーパーホルダーとなっている。
【００２１】
さて、上記構成をなす本考案の実施の形態により得られる作用効果は、以下の通りである。まず、このペーパーホルダー１０、２０は、門型の本体部１２の開放端部間１２ａ、１２ｂに配置された掛け竿部１４の一端部１４ａが、本体部１２の一端部１２ｃに対し着脱不能かつ揺動自在に連結されていることから、本体部１２の門型の他端部１２ｄと掛け竿部１４の他端部１４ｂとの係合を解除した状態で、掛け竿部１４は本体部１２から脱落することなく本体部１２に釣り下げられる。この状態で、掛け竿部１４に対するロール状ペーパー５０、５２の中空の中心軸の着脱を、掛け竿部１４の他端部１４ｂ側から行うことができる。又、本体部１２の門型の他端部１２ｄと掛け竿部１４の他端部１４ｂとを連結することで、本体部１２と掛け竿部１４とが閉塞環状に連続し、ロール状ペーパー５０、５２の中空の中心軸に掛け竿部１４が挿通された状態で、ロール状ペーパー５０、５２はペーパーホルダー１０、２０に回転自在に保持される。
しかも、本体部１２と掛け竿部１４とが、いずれもワイヤー線材を折り曲げることによって構成されたものであり、規模の大きな生産設備が不要となる。しかも、適宜必要な形状への成形も容易であり、各々の湾曲形状も容易に変更可能なものである。
【００２２】
又、本体部１２の門型の他端部１２ｄと掛け竿部１４の他端部１４ｂとの係合状態が、フック状の端部１４ｂと環状の端部１２ｄ同士の係合のみならず、本体部１２の弾性によって、本体部１２の一端部１２ｃと他端部１２ｄとが広がり、フック状の端部１４ｂと環状の端部１２ｄにテンションを与えることによって、適切に維持されるものである。しかも、本体部１２の門型の他端部１２ｄと掛け竿部１４の他端部１４ｂとの着脱時には、開放端部１２ａ、１２ｂの間隔が狭くなるよう本体部が弾性変形することで、この着脱作業を阻害することなく円滑に行うことが出来る。
【００２３】
又、釣り下げフック１６の螺旋状に折り曲げられた一端部１６ａの、当該螺旋の間に、本体部１２の門型の中央部の環状に折り曲げられた部分１２ｅを挿通することによって、本体部１２に対し釣り下げフック１６を着脱することが可能であり、必要に応じて本体部１２に対し釣り下げフック１６を装着し、又は取り外して使用することができる。一方、釣り下げフック１６を取り外した状態で、本体部１２の門型の中央部の環状に折り曲げられている部分１２ｅを、例えば壁等に固定されたフックに対する釣り下げ部として、そのまま利用することも可能である。なお、本体部１２の門型の中央部の環状に折り曲げられている部分１２ｅは、釣り下げブック１６の係合部として、又は、釣り下げ部として機能するように、例えばＵ字状、Ｖ字状等の凸状に形成されたものであっても良い。
【００２４】
又、釣り下げフック１６もワイヤー線材を折り曲げることによって構成されたものであり、適宜必要な形状への成形も容易である。又、必要に応じ、各々の湾曲形状も容易に変更可能なものである。しかも、本体部１２及び掛け竿部１４と同一材料を用いることで、材料調達コストの低減と、製造工程の共通化とを図ることができる。本発明の実施の形態では、釣り下げフック１６の環状に折り曲げられた中間部１６ｂを、例えば、壁等に打ち付けられた釘等の突起物に対する釣り下げ部として利用することも可能である。かかる中間部１６ｂについても、例えばＵ字状、Ｖ字状等の凸状に形成されていても、突起物に対する釣り下げ部に利用することができる。
なお、本体部１２、掛け竿部１４及び釣り下げフック１６を構成するワイヤー線材は、鋼、ステンレス、真鍮等、適切な強度と弾性を有し、かつ、加工も容易なものが採用される。又、適宜その表面にビニール等の被覆やメッキを施すことも可能である。更には、本体部１２に対し着脱自在な釣り下げフック１６のみ、合成樹脂等他の材料で構成することとしても良い。
【符号の説明】
【００２５】
１０、２０：ペーパーホルダー、１２：本体部、  １２ａ、１２ｂ：開放端部、１２ｃ：一端部、１２ｄ：他端部、１２ｅ：中央部、１４：掛け竿部、１４ａ：一端部、１４ｂ：他端部、１４ｃ：一端部と他端部とを繋ぐ部分、１６：釣り下げフック、１６ａ：一端部、１６ｂ：中間部、５０：キッチンペーパー、５２：トイレットペーパー
【図１】
0003157132.tif 000003
【図２】
0003157132.tif 000004
【図３】
0003157132.tif 000005
【図４】
0003157132.tif 000006